(57)【要約】【課題】レンズ装置における防振用シフトレンズの位置情報をカメラ本体に送信することで、シフトレンズの移動によって生じる収差や周辺光量落ちの状態の変動をカメラ本体側で適切に補正することができる防振用シフトレンズを備えたレンズ装置を提供する【解決手段】レンズ装置１０において制御回路３０は、シフトレンズ２０の位置を位置検出器２０Ａ、２０Ｂにより得られる位置信号により検出し、検出した位置に対応する電圧のアナログ信号をカメラ本体１２に出力する。カメラ本体１２のＣＰＵ５２は、そのシフトレンズ２０の位置と、シリアル通信によりレンズ装置１０から与えられるフォーカス位置、ズーム位置、アイリス位置とに基づいて、収差や周辺光量落ちの補正を行う。【選択図】図１
2010206580.tif 000002
【特許請求の範囲】
【請求項１】
カメラ本体に着脱可能に装着されるレンズ装置であって、被写体像を結像する光学系と、前記該光学系に生じた振動に起因する像振れを補正するために光軸に直交する方向に移動可能に配置されたシフトレンズとを備えたレンズ装置において、
前記シフトレンズの位置を検出する検出手段と、
前記検出手段により検出された前記シフトレンズの位置情報を前記カメラ本体に出力するシフトレンズ位置情報出力手段と、
を備えたことを特徴とする防振用シフトレンズを備えたレンズ装置。
【請求項２】
前記シフトレンズ位置情報出力手段は、前記シフトレンズの位置情報を位置に対応した電圧のアナログ信号により出力することを特徴とする請求項１の防振用シフトレンズを備えたレンズ装置。
【請求項３】
前記シフトレンズ位置情報出力手段により出力される前記シフトレンズの位置情報は、前記カメラ本体における前記光学系の収差又は周辺光量落ちの補正に使用される情報であることを特徴とする請求項１、又は、２の防振用シフトレンズを備えたレンズ装置。
【請求項４】
前記レンズ装置は、前記光学系における可動のフォーカスレンズ、ズームレンズ、及び、アイリスの各々の位置の情報をシリアル通信により前記カメラ本体に送信することを特徴とする請求項１、２、又は、３の防振用シフトレンズを備えたレンズ装置。
【発明の詳細な説明】
【技術分野】
【０００１】
本発明は防振用シフトレンズを備えたレンズ装置に係り、特に放送用又は業務用のテレビカメラのレンズ交換式のカメラ本体に装着され、光学系の光軸に対して直交する方向に変位して像振れを補正する防振用のシフトレンズを備えたレンズ装置に関する。
【背景技術】
【０００２】
一般にレンズ装置の光学系には、収差や周辺光量落ちがあり、近年におけるカメラ本体側の処理の高速化により、このような光学系の特性に関する補正をカメラ本体内での処理により行うことが可能となってきている。レンズ装置における収差や周辺光量落ちに関する情報をカメラ本体側で認識することで、光学系のフォーカス、ズーム、アイリス等のレンズ、絞り機構に関する位置情報をカメラ本体で取得してカメラ本体側で補正をかけることにより収差や周辺光量落ちの低減を図ることが行われている（特許文献１参照）。
【先行技術文献】
【特許文献】
【０００３】
【特許文献１】特開２００８−９６９０７号公報
【発明の概要】
【発明が解決しようとする課題】
【０００４】
ところで、近年、放送用又は業務用のテレビカメラのレンズ装置では、光学シフト式防振機構を備えたものが主流となっている。光学シフト式防振機構は、光軸と直交する方向にモータ（アクチュエータ）で移動可能なシフトレンズを備え、光学系に生じた振動に起因する像振れを打ち消すようにシフトレンズを変位させるものである。
【０００５】
このような光学シフト式防振機能によりシフトレンズをシフトさせた場合、収差や周辺光量に影響を及ぼす。例えば、光学系に水平方向の振動が生じた場合、それによる水平方向の像振れを打ち消すようにシフトレンズが左右に変位する。このとき撮影映像としては、像振れは防止されるが、シフトレンズの周期的な往復移動に同期して周辺光量落ちが生じる部分も周期的に変動し、それによって、撮影映像の特に周辺部が明暗を繰り返すという問題がある。
【０００６】
光学系は、シフトレンズがセンター（可動範囲に中心）にある場合、一般的には撮影映像の端に行くほど暗くなる性質があるが、周辺の明るさを確保するためには光学系の径を大きくする必要がある。そのため、製品としては、光学系の大きさと周辺光量落ちのバランスの良いところで設計されている。従って、周辺光量落ちは避けられない場合があり、上記のように像振れ補正のためにシフトレンズが水平方向に移動すると、その動きと同期して右側が明るくなると、左側が暗くなり、右側が暗くなると、左側が明るくなるということが振動に同期して発生する。
【０００７】
従来は、このようなシフトレンズに関する情報がカメラ本体に与えられていないため、シフトレンズの移動によって生じる収差や周辺光量落ちの状態の変動をカメラ本体側で適切に補正することができず、これによる映像の乱れが生じてしまうという問題があった。
【０００８】
本発明は、このような事情に鑑みてなされたもので、レンズ装置における防振用シフトレンズの移動によって生じる収差や周辺光量落ちの状態の変動をカメラ本体側で適切に補正することができる防振用シフトレンズを備えたレンズ装置を提供することを目的とする。
【課題を解決するための手段】
【０００９】
前記目的を達成するために、請求項１に係る防振用シフトレンズを備えたレンズ装置は、カメラ本体に着脱可能に装着されるレンズ装置であって、被写体像を結像する光学系と、前記該光学系に生じた振動に起因する像振れを補正するために光軸に直交する方向に移動可能に配置されたシフトレンズとを備えたレンズ装置において、前記シフトレンズの位置を検出する検出手段と、前記検出手段により検出された前記シフトレンズの位置情報を前記カメラ本体に出力するシフトレンズ位置情報出力手段と、を備えたことを特徴としている。
【００１０】
請求項２に係る防振用シフトレンズを備えたレンズ装置は、請求項１に係る発明において、前記シフトレンズ位置情報出力手段は、前記シフトレンズの位置情報を位置に対応した電圧のアナログ信号により出力することを特徴としている。
【００１１】
請求項３に係る防振用シフトレンズを備えたレンズ装置は、請求項１、又は、２に係る発明において、前記シフトレンズ位置情報出力手段により出力される前記シフトレンズの位置情報は、前記カメラ本体における前記光学系の収差又は周辺光量落ちの補正に使用される情報であることを特徴としている。
【００１２】
請求項４に係る防振用シフトレンズを備えたレンズ装置は、請求項１、２、又は、３に係る発明において、前記レンズ装置は、前記光学系における可動のフォーカスレンズ、ズームレンズ、及び、アイリスの各々の位置の情報をシリアル通信により前記カメラ本体に送信することを特徴としている。
【発明の効果】
【００１３】
本発明によれば、レンズ装置における防振用シフトレンズの移動によって生じる収差や周辺光量落ちの状態の変動をカメラ本体側で適切に補正することができるようになり、収差や周辺光量落ちの状態の変動により生じる映像の乱れを防止することができるようになる。
【図面の簡単な説明】
【００１４】
【図１】図１は、本発明が適用されるレンズ装置における光学系、制御系の構成を簡易的に示した構成図である。
【図２】図２は、周辺光量落ちの説明に使用した説明図である。
【発明を実施するための形態】
【００１５】
以下、添付図面を参照して、本発明に係る防振用シフトレンズを備えたレンズ装置を実施するための形態について詳細に説明する。
【００１６】
図１は、本発明が適用されるレンズ装置における光学系、制御系の構成を簡易的に示した構成図である。同図に示すレンズ装置１０は、例えば、放送用又は業務用のテレビカメラに使用されるレンズ装置（交換レンズ）であり、撮像素子５０や撮像素子５０により取り込まれた映像信号に所要の処理を施す信号処理回路等を備えたレンズ交換式のカメラ本体１２に着脱可能に装着されるようになっている。
【００１７】
レンズ装置１０には、被写体像を結像する光学系と、光学系の駆動及び制御を行う制御系の構成要素が搭載されており、光学系は、カメラ本体１２にマウントにより着脱可能に装着される鏡胴内に構成され、フォーカス調整（焦点調整）のために光軸方向に移動可能に配置されたフォーカスレンズ１４、ズーム調整（焦点距離調整）のために光軸方向に移動可能に配置されたズームレンズ１６、明るさ調整のために開閉動作可能なアイリス１８、防振（像振れ補正）のために光軸と直交する方向に移動可能に配置された防振用シフトレンズ２０（以下、単にシフトレンズ２０と称する）、その他の図示しない固定レンズを備えている。
【００１８】
レンズ装置１０の制御系は、フォーカスレンズ１４、ズームレンズ１６、アイリス１８、シフトレンズ２０の各レンズを駆動するための図示しないモータと、各レンズの現在位置を検出するための位置検出器１４Ａ、１６Ａ、１８Ａ、２０Ａ、２０Ｂと、光学系に生じた振動を検出するための振動検出センサ２２Ａ、２２Ｂ（ジャイロセンサ等）、レンズ装置１０における処理を統括的に行う制御回路３０等を備えている。尚、シフトレンズ２０は、光軸に対して直交する面内において鉛直方向（上下方向）と水平方向（左右方向（紙面に直行する方向））に駆動されるため、それらの各々方向に関してシフトレンズ２０を駆動するモータと位置検出器２０Ａ、２０Ｂが設けられている。位置検出器２０Ａはシフトレンズ２０の上下方向の位置を検出し、位置検出器２０Ｂはシフトレンズ２０の左右方向の位置を検出するものとする。また、振動検出センサ２２Ａは上下方向の振動を検出し、振動検出センサ２２Ｂは左右方向の振動を検出するものとする。
【００１９】
フォーカスレンズ１４、ズームレンズ１６、アイリス１８、シフトレンズ２０を駆動する各モータは制御回路３０から各モータへ出力される駆動信号に従って駆動するようになっており、制御回路３０は、これによって各レンズ１４〜２０を所望の速度で駆動することができるようになっている。
【００２０】
また、各位置検出器１４Ａ、１６Ａ、１８Ａ、２０Ａ、２０Ｂから出力される位置信号は制御回路３０に入力されるようになっており、制御回路３０は、これによって各レンズ１４〜２０の現在位置（シフトレンズ２０は上下方向と左右方向の現在位置）を検出することができ、現在位置を検出しながら各レンズ１４〜２０の各々を駆動することによって、各レンズ１４〜２０を所望の位置に制御することができるようになっている。
【００２１】
一方、フォーカスレンズ１４、ズームレンズ１６、アイリス１８の設定位置や移動速度等の制御内容を指示する制御信号はレンズ装置１０に接続されたカメラ本体１２や図示しないコントローラなどの外部装置から与えられるようになっており、その制御信号が制御回路３０に取得され、制御信号に従ってフォーカスレンズ１４、ズームレンズ１６、アイリス１８が制御されるようになっている。
【００２２】
一方、制御回路３０には、振動検出センサ２２Ａ、２２Ｂからレンズ装置１０（光学系）に生じた上下方向と左右方向の各々の方向の振動を示す振れ信号（例えば角速度信号）が入力されるようになっており、シフトレンズ２０は、その振れ信号に基づいて制御されるようになっている。即ち、上下方向と水平方向の各々に関して、光学系に生じた振動に起因する像振れを打ち消すシフトレンズ２０の位置が振れ信号に基づいて算出され、その位置にシフトレンズ２０が駆動される。これによって光学系に生じた振動に起因する像振れが補正（防止）されるようになっている。
【００２３】
ところで、カメラ本体１２は、レンズ装置１０の光学系により生じる収差（倍率色収差）や周辺光量落ちの補正を行う機能を備えており、詳細は省略するが、光学補正データを用いて、その補正が行われるようになっている。
【００２４】
光学補正データは、フォーカスレンズ１４の位置（フォーカス位置）、ズームレンズ１６の位置（ズーム位置）、アイリス１８の位置（アイリス位置）、及び、シフトレンズ２０の位置（シフトレンズ位置）によって値が変化し、フォーカス位置、ズーム位置、アイリス位置、及び、シフトレンズ位置と、光学補正データの値とを対応付ける光学補正データテーブルによって求められるようになっている。
【００２５】
光学補正データテーブルは、光学系の特性に応じて事前に作成され、レンズ装置１０内の所定のメモリに予め記憶されるようになっている。そして、レンズ装置１０及びカメラ本体１２の電源がオンされた際、又は、レンズ装置１０がカメラ本体１２に初めて装着された際等の初期設定として、その光学補正データテーブルがレンズ装置１０からカメラ本体１２にシリアル通信により送信され、カメラ本体１２内のメモリに格納されるようになっている。
【００２６】
尚、光学補正データテーブルは初めからカメラ本体１２内のメモリに記憶されるものとしてもよい。この場合には、カメラ本体１２は複数種のレンズ装置に対応した光学補正データテーブルを事前記憶しておき、接続されたレンズ装置の種類に応じて使用する光学補正データテーブルを選択する。
【００２７】
レンズ装置１０とカメラ本体１２との間では、シリアル通信によって各種信号の送受信を行うことができるようになっており、レンズ装置１０の制御回路３０と、カメラ本体１２に搭載されたＣＰＵ５２との間でそのシリアル通信による信号の送受信が信号線６０を通じて行われるようになっている。
【００２８】
カメラ本体１２における収差及び周辺光量落ちの補正実行時において、レンズ装置１０の制御回路３０は、位置検出器１４Ａ、１６Ｂ、１８Ａにより検出したフォーカス位置、ズーム位置、アイリス位置を、シリアル通信によりカメラ本体１２のＣＰＵ５２に送信する。
【００２９】
一方、制御回路３０は、位置検出器２０Ａ、２０Ｂにより検出したシフトレンズ位置（上下方向の位置及び水平方向の位置）をアナログインターフェースによりアナログ信号としてカメラ本体１２に伝送する。レンズ装置１０とカメラ本体１２とは、シフトレンズ２０の上下方向の位置を示すアナログ信号と水平方向の位置を示すアナログ信号とを伝送する２本の伝送線６２ａ、６２ｂで接続されており、それらの伝送線を通じてカメラ本体１２内に伝送されたアナログ信号は、カメラ本体１２内のＡ／Ｄ変換器５４によりデジタル信号に変換されてＣＰＵ５２に読み取られるようになっている。
【００３０】
尚、シフトレンズ２０の上下方向の位置及び左右方向の位置は各々、例えば、センター（可動範囲の中心位置）のときを７.５Ｖとしてセンターからの変位量に応じて５Ｖ〜１０Ｖの範囲の電圧のアナログ信号として伝送される。また、レンズ装置１０とカメラ本体１２との間のアナログ信号の伝送線の接続は、レンズ装置１０とカメラ本体１２の各々に設けられたコネクタ同士を直結するような構成であってもよいし、それらのコネクタの間をケーブルで接続するような構成であってもよい。
【００３１】
カメラ本体１２のＣＰＵ５２は、以上のようにしてレンズ装置１０からフォーカス位置、ズーム位置、アイリス位置、及び、シフトレンズ位置の情報を取得し、それらの位置情報と、事前にメモリに記憶した光学補正データテーブルとにより、光学補正データを求める。そして、この光学補正データを用いることによって、収差及び周辺光量落ちの補正が行われる。
【００３２】
以上の実施の形態によれば、従来では考慮されていないシフトレンズ位置を考慮して収差及び周辺光量落ちの補正が行われる。
【００３３】
従来のようにシフトレンズ位置を考慮しない場合には、シフトレンズ位置がセンターのときに補正が適正に行われたとしても、シフトレンズ２０がセンターから変位すると、収差及び周辺光量落ちの状態が変化し補正が適正に行われないという不具合があった。一方、本実施の形態のようにシフトレンズ位置を考慮して補正を行えるようにしたため、シフトレンズ２０がセンターから変位したとしても、そのときの収差及び周辺光量落ちの状態に応じて補正が適正に行われるようになる。
【００３４】
また、本実施の形態では、シフトレンズ位置の情報はシリアル通信ではなくアナログ信号で伝送されるようになっている。一般に像振れを防止する対象の振動は１０Ｈｚ前後であり、シフトレンズ２０も１０Ｈｚ程度の周波数で上下方向及び左右方向に変動する。従って、シフトレンズ位置の変化は、フォーカス位置等と比較して速いため、光学補正データを求める際に参照するシフトレンズ位置は、できるだけ短い時間間隔で更新する必要がある。もし、シフトレンズ位置の情報をレンズ装置１０からカメラ本体１２にシリアル通信で送信すると、シフトレンズ位置がカメラ本体１２に与えられる時間間隔（収差及び周辺光量落ちの補正で参照するシフトレンズ位置の更新間隔）が長くなり過ぎるおそれがある。
【００３５】
ここで、周辺光量落ちは、輝度が一様の被写体を撮影した際にその撮影映像の周辺部が図２（Ａ）のように中心部よりも暗くなる現象を示す。このとき、例えば光学系に斜め方向（図２（Ａ）中の矢印１０２参照）に振動を与えてシフトレンズ２０によってその像振れの補正を行ったとすると、シフトレンズ２０の位置に対応して、光量落ちが観測される部分も図２（Ｂ）、（Ｃ）のように斜め方向にシフトする。そのため、光学系に生じた振動によってシフトレンズ２０の周期的な往復移動が行われると、撮影映像の周辺部分における光量の状態も周期的に変動し、明暗を繰り返す。従来のようにシフトレンズ位置を考慮せずに周辺光量落ちの補正を行ったとしても、例えばシフトレンズ２０がセンターのときだけ周辺光量落ちが生じないが、シフトレンズ２０がセンターから変位しているときには補正が適切ではなくなり、シフトレンズ２０の周期的な往復移動に同期して撮影映像の周辺部分における光量の状態が周期的に変動する。
【００３６】
収差についても同様に、シフトレンズ２０の位置に対応して、例えば、撮影映像の色にじみの状態が変化し、像振れ補正の際のシフトレンズ２０の周期的な往復移動によって撮影映像の色にじみの状態も周期的に変動する。
【００３７】
このようなシフトレンズ２０の周期的な往復移動による収差及び周辺光量落ちの状態の変動を適切に補正するためには、できるだけシフトレンズ２０の正確な現在位置の情報を使用して補正を行う必要がある。
【００３８】
一方、本実施の形態によれば、シフトレンズ位置がアナログ信号の電圧によってレンズ装置１０からカメラ本体１２に伝送され、シフトレンズ２０の正確な現在位置の情報が連続的且つ高速に（遅延を少なくして）カメラ本体１２に伝送されるため、カメラ本体１２では、そのシフトレンズ位置の情報を短い時間間隔で取得することができ、上記のようにシフトレンズ２０の周期的な往復移動による収差及び周辺光量落ちの状態の変動も適切に補正されるようになっている。
【００３９】
以上、上記実施の形態において、レンズ装置１０からのシフトレンズ位置の出力は、位置検出器２０Ａ、２０Ｂから出力されたシフトレンズ位置を示す位置信号を、デジタル信号としてＣＰＵで読み取り、ＣＰＵがその位置信号に応じた電圧の信号をＤ／Ａ変換器を介してアナログ信号としてカメラ本体１２に出力してもよし、位置検出器２０Ａ、２０Ｂから出力されたアナログの位置信号をデジタル信号に変換することなくアナログ処理回路を通じてカメラ本体１２に出力するようにしてもよい。
【００４０】
また、レンズ装置１０からカメラ本体１２へのシフトレンズ位置の送信は、短い時間間隔でシフトレンズ位置を送信できる方式であれば、必ずしもアナログ信号の伝送によるものでなくてもよい。
【００４１】
また、上記実施の形態では、フォーカス位置、ズーム位置、アイリス位置、及び、シフトレンズ位置の情報をレンズ装置１０からカメラ本体１２に与え、カメラ本体１２において、それらの位置情報と光学補正データテーブルとから光学補正データを求めるようにしたが、レンズ装置１０において、光学補正データを求め、その求めた光学補正データをカメラ本体１２に例えばアナログ信号により送信するようにしてもよい。
【００４２】
また、上記実施の形態では、カメラ本体１２において、収差の補正と周辺光量落ちの補正の両方を行うものとしたが、いずれか一方の補正のみを行う場合であっても本発明を適用できる。
【符号の説明】
【００４３】
１０…レンズ装置、１２…カメラ本体、１４…フォーカスレンズ、１６…ズームレンズ、１８…アイリス、２０…シフトレンズ、１４Ａ〜２０Ａ、２０Ｂ…位置検出器、２２Ａ、２２Ｂ…振動検出センサ、３０…制御回路、５０…撮像素子、５２…ＣＰＵ、５４…Ａ／Ｄ変換器
【図１】
2010206580.tif 000003
【図２】
2010206580.tif 000004